(57)【要約】【課題】シンプルかつシャープな印象を与えることができるとともに、施工性の向上および製品の低廉化を図ることのできるカーテンウォールを提供すること。【解決手段】カーテンウォール１は、カーテンウォールパネル３と、カーテンウォールパネル３を支持する方立２５および無目と、開閉窓部４と、開閉窓部４を方立２５に取り付ける窓取付け具とを有する。開閉窓部４は、矩形枠状の窓枠４４と、窓枠４４に対して開閉される障子４１とを備える。窓取付け具は、窓枠４４の四辺のうちの互いに対向する取付け用の二辺を方立２５に取り付ける。窓枠４４の四辺のうちの互いに対向する突きつけ用の二辺は、カーテンウォールパネル３に対しシール材を介して突きつけ納まりとされる。【選択図】図１
2015124487.tif 000002
【特許請求の範囲】
【請求項１】
カーテンウォールパネルと、前記カーテンウォールパネルを支持する縦材および横材と、開閉窓部と、前記開閉窓部を前記縦材および横材のうちのいずれか一方に取り付ける窓取付け具とを有し、
前記開閉窓部は、矩形枠状の窓枠と、前記窓枠に対して開閉される障子とを備え、
前記窓取付け具は、前記窓枠の四辺のうちの互いに対向する取付け用の二辺を前記縦材および横材のうちのいずれか一方に取り付け、
前記窓枠の四辺のうち前記取付け用の二辺以外の互いに対向する突きつけ用の二辺は、前記カーテンウォールパネルに対しシール材を介して突きつけ納まりとされる
ことを特徴とするカーテンウォール。
【請求項２】
請求項１に記載のカーテンウォールにおいて、
前記窓取付け具は、前記取付け用の二辺から突出する突出部を形成する突出部形成部材と、前記突出部形成部材を前記縦材および横材のうちのいずれか一方に連結する連結体とを備える
ことを特徴とするカーテンウォール。
【請求項３】
請求項２に記載のカーテンウォールにおいて、
前記縦材および横材のうちのいずれか一方には押縁が装着され、前記縦材および横材のうちのいずれか一方と前記押縁との間には前記突出部形成部材が配置される
ことを特徴とするカーテンウォール。
【請求項４】
請求項２または請求項３に記載のカーテンウォールにおいて、
前記取付け用の二辺は、前記縦材に取り付けられ、
前記連結体は、前記突出部形成部材を前記縦材に連結する連結具と、前記突出部形成部材に連結される支持具とを備え、
前記支持具は、前記連結具により前記突出部形成部材が前記縦材に連結された状態で前記縦材に支えられて前記開閉窓部の鉛直荷重を支持する支持片を有し、
前記連結具は、前記突出部形成部材を屋内側または屋外側から支えて前記開閉窓部に加わる風圧力を受圧する受圧片を有する
ことを特徴とするカーテンウォール。
【請求項５】
請求項２または請求項３に記載のカーテンウォールにおいて、
前記取付け用の二辺は、前記横材に取り付けられ、
前記連結体は、前記窓枠の上側において前記突出部形成部材を前記横材に連結する上側連結具と、前記窓枠の下側において前記突出部形成部材を前記横材に連結する下側連結具とを備え、
前記上側連結具は、前記開閉窓部に加わる風圧力を受圧する受圧片を有し、
前記下側連結具は、前記開閉窓部に加わる風圧力を受圧する受圧片を有し、前記横材に載置されて前記開閉窓部の鉛直荷重を支持する
ことを特徴とするカーテンウォール。
【請求項６】
請求項１から請求項５のいずれかに記載のカーテンウォールにおいて、
前記障子は、障子框と、前記障子框に保持される面材とを備え、
前記障子框は、窓閉鎖状態で前記窓枠を覆う程度に前記窓枠に向かって延出した屋内片部または屋外片部を有する
ことを特徴とするカーテンウォール。
【請求項７】
請求項６に記載のカーテンウォールにおいて、
前記窓枠は、互いに断面形状が同一の形材である上枠、下枠および左右の縦枠を四周枠組みして構成される
ことを特徴とするカーテンウォール。
【請求項８】
請求項６または請求項７に記載のカーテンウォールにおいて、
前記障子框は、互いに断面形状が同一の形材である上框、下框および左右の縦框を四周枠組みして構成される
ことを特徴とするカーテンウォール。
【発明の詳細な説明】
【技術分野】
【０００１】
本発明は、建物の外壁面を構成する開閉窓部を備えたカーテンウォールに関する。
【背景技術】
【０００２】
従来、建物の外壁面を構成するカーテンウォールとしては、窓枠と障子とで構成される開閉窓部を方立および無目で区画された開口部にそのまま嵌め込み、ブラケット等で取り付けるものが知られている。
例えば、特許文献１では、建物躯体に方立を取り付け、取り付けた方立の間に無目を取り付けて窓部開口枠を形成し、カーテンウォールパネルを取り付けて壁面を構成し、その後、前述した窓部開口枠に対し、開閉窓部としての窓サッシをそのまま窓枠ごと嵌め込み、ブラケット等により方立および無目の双方に固定するノックダウン式カーテンウォールが提案されている。
【先行技術文献】
【特許文献】
【０００３】
【特許文献１】特開２００３−２９３５０１号公報
【発明の概要】
【発明が解決しようとする課題】
【０００４】
ところで、かかるカーテンウォールでは、その外観から与えられる印象が重視される。従って、例えば、開閉窓部を設けてもシンプルかつシャープな印象を与えるカーテンウォールを構成するためには、各部材の配置や部品点数の削減などが技術的な課題となる。
しかし、特許文献１に記載されたようなカーテンウォールでは、窓部開口枠が方立と無目とによって形成されているため、障子と窓枠とで構成される窓サッシの周囲に方立および無目の双方が存在することになる。このため、屋内外からの外観上、窓サッシの周囲の部材の見付け寸法が大きくなり複雑な印象を与えてしまう可能性がある。
また、特許文献１に記載されたようなカーテンウォールでは、窓サッシの窓枠を構成する上枠、下枠および左右の縦枠に加え、方立および無目自体ならびにこれら双方に窓枠を固定するためのブラケットなどを使用するため、使用部品点数が多く、施工性の向上や製品の低廉化を図り難い。
【０００５】
本発明の目的は、シンプルかつシャープな印象を与えることができるとともに、施工性の向上および製品の低廉化を図ることのできるカーテンウォールを提供することにある。
【課題を解決するための手段】
【０００６】
本発明のカーテンウォールは、カーテンウォールパネルと、前記カーテンウォールパネルを支持する縦材および横材と、開閉窓部と、前記開閉窓部を前記縦材および横材のうちのいずれか一方に取り付ける窓取付け具とを有し、前記開閉窓部は、矩形枠状の窓枠と、前記窓枠に対して開閉される障子とを備え、前記窓取付け具は、前記窓枠の四辺のうちの互いに対向する取付け用の二辺を前記縦材および横材のうちのいずれか一方に取り付け、前記窓枠の四辺のうち前記取付け用の二辺以外の互いに対向する突きつけ用の二辺は、前記カーテンウォールパネルに対しシール材を介して突きつけ納まりとされることを特徴とする。
【０００７】
このような本発明によれば、窓取付け具により窓枠の取付け用の二辺を、方立や中骨などの縦材および無目や横桟などの横材のうちのいずれか一方に取り付けるだけであるため、窓枠を縦材および横材のうちのいずれか他方に取り付けるための部品を必要とせず、部品点数を削減できる。これにより、組み立て工数の減少による施工性の向上や、部品点数の削減および組み立て工数の減少に起因する製品の低廉化を図れる。
そして、窓枠の突きつけ用の二辺は、カーテンウォールパネルに対しシール材を介して突きつけ納まりとされるだけであるため、窓枠の突きつけ用の二辺とカーテンウォールパネルとの間に縦材および横材のうちのいずれか他方等が介在されることがない。このため、カーテンウォールの外観や内観をシンプルにでき、開閉窓部がカーテンウォールパネル間に浮いているようなシャープな印象を与えることもできる。
【０００８】
本発明のカーテンウォールでは、前記窓取付け具は、前記取付け用の二辺から突出する突出部を形成する突出部形成部材と、前記突出部形成部材を前記縦材および横材のうちのいずれか一方に連結する連結体とを備えることが好ましい。
このような構成によれば、例えば、窓枠側に突出部を形成する必要が無く、窓枠の幅寸法（見付け寸法）を小さくすることができる。このため、開閉窓部とカーテンウォールパネルとが突きつけ納まりとされている部分において、窓枠をより目立たなくできる。
【０００９】
本発明のカーテンウォールでは、前記縦材および横材のうちのいずれか一方には押縁が装着され、前記縦材および横材のうちのいずれか一方と前記押縁との間には前記突出部形成部材が配置されることが好ましい。
このような構成によれば、縦材および横材のうちのいずれか一方に押縁を装着することで、縦材および横材の一方と押縁との間に凹溝部を形成できる。そして、この凹溝部に前記突出部形成部材の突出部を配置することで、縦材および横材の一方と突出部との間や、押縁と突出部との間にシール材やバックアップ材を配置できる隙間を形成できる。従って、前記各隙間をバックアップ材やシール材等で塞ぐだけで、開閉窓部と縦材および横材の一方との間での屋内外の連通を簡単に遮断できる。
【００１０】
本発明のカーテンウォールでは、前記取付け用の二辺が前記縦材に取り付けられる場合には、前記連結体は、前記突出部形成部材を前記縦材に連結する連結具と、前記突出部形成部材に連結される支持具とを備え、前記支持具は、前記連結具により前記突出部形成部材が前記縦材に連結された状態で前記縦材に支えられて前記開閉窓部の鉛直荷重を支持する支持片を有し、前記連結具は、前記突出部形成部材を屋内側または屋外側から支えて前記開閉窓部に加わる風圧力を受圧する受圧片を有することが好ましい。
このような構成によれば、例えば一つの連結部材で風圧力（風荷重）および鉛直荷重を支持する場合には連結部材の形状が複雑となり、かつ、両方の荷重を支持できる剛性を確保するため、連結部材が大型化する。これに対し、本発明では、連結具および支持具で各荷重を分担して支持できるので、連結具および支持具のそれぞれの形状を簡易にでき、かつ、小型化できる。従って、支持具の支持片を縦材に対してより近接配置でき、支持具を大型化させることなく大きな鉛直荷重を支持できる。
また、支持具は鉛直荷重を支持すればよいため、支持具を縦材にビス等で連結する必要が無く、連結する工数を削減できる。そして、突出部形成部材に連結された支持具を縦材で支持しながら、連結具により突出部形成部材を縦材に連結することができ、開閉窓部の荷重を作業者などが別途支持しながら連結具の連結作業を行う必要が無いため、連結作業性を向上できる。
【００１１】
また、本発明のカーテンウォールでは、前記取付け用の二辺が前記横材に取り付けられる場合には、前記連結体は、前記窓枠の上側において前記突出部形成部材を前記横材に連結する上側連結具と、前記窓枠の下側において前記突出部形成部材を前記横材に連結する下側連結具とを備え、前記上側連結具は、前記開閉窓部に加わる風圧力を受圧する受圧片を有し、前記下側連結具は、前記開閉窓部に加わる風圧力を受圧する受圧片を有し、前記横材に載置されて前記開閉窓部の鉛直荷重を支持することが好ましい。
このような構成によれば、下側連結具が横材に載置されることで開閉窓部の鉛直荷重を支持でき、上側連結具の受圧片により窓枠の上側において開閉窓部に加わる風圧力を受圧でき、さらに、下側連結具の受圧片により窓枠の下側において開閉窓部に加わる風圧力を受圧できる。
【００１２】
本発明のカーテンウォールでは、前記障子は、障子框と、前記障子框に保持される面材とを備え、前記障子框は、窓閉鎖状態で前記窓枠を覆う程度に前記窓枠に向かって延出した屋内片部または屋外片部を有することが好ましい。
このような構成によれば、窓閉鎖状態において可動側の障子框の屋内片部または屋外片部が固定側の窓枠を覆うため、屋内または屋外からの外観上、固定側の窓枠を目立たせることなく、可動側の障子框を固定側の窓枠よりも強調した印象を与えることができる。例えば、屋内片部が窓枠の屋内側に配置される場合には屋内からの外観上、可動側の障子框を固定側の窓枠よりも強調できる。また、例えば、屋外片部が窓枠の屋外側に配置される場合には屋外からの外観上、可動側の障子框を固定側の窓枠よりも強調できる。
【００１３】
本発明のカーテンウォールでは、前記窓枠は、互いに断面形状が同一の形材である上枠、下枠および左右の縦枠を四周枠組みして構成されることが好ましい。
また、前記框枠は、互いに断面形状が同一の形材である上框、下框および左右の縦框を四周枠組みして構成されることが好ましい。
このような構成によれば、窓枠または障子框の各構成部材が断面形状同一の形材であるため、部品の共通化による製品の低廉化や部品の互換性向上による施工性の向上が図れ、外観上、統一感のあるシンプルかつシャープな印象を与えることができる。
【発明の効果】
【００１４】
本発明によれば、シンプルかつシャープな印象を与えることができるとともに、施工性の向上および製品の低廉化を図ることのできるカーテンウォールを提供できる。
【図面の簡単な説明】
【００１５】
【図１】本発明の第１実施形態に係るカーテンウォールを備える建物を示す外観姿図。
【図２】前記第１実施形態に係るカーテンウォールを備える建物を示す横断面図。
【図３】前記第１実施形態に係るカーテンウォールを備える建物を示す縦断面図。
【図４】前記第１実施形態において、図１中ＩＶ−ＩＶ線での断面図。
【図５】前記第１実施形態において、図１中Ｖ−Ｖ線での断面図。
【図６】前記第１実施形態において、図１中ＶＩ−ＶＩ線での断面図。
【図７】前記第１実施形態において、図１中ＶＩＩ−ＶＩＩ線での断面図。
【図８】前記第１実施形態に係る窓取付け具を示す説明図。
【図９】本発明の第２実施形態に係るカーテンウォールを備える建物を示す外観姿図。
【図１０】前記第２実施形態に係るカーテンウォールを備える建物を示す横断面図。
【図１１】前記第２実施形態に係るカーテンウォールを備える建物を示す縦断面図。
【図１２】前記第２実施形態において、図９中ＸＩＩ−ＸＩＩ線での断面図。
【図１３】前記第２実施形態において、図９中ＸＩＩＩ−ＸＩＩＩ線での断面図。
【図１４】前記第２実施形態において、図９中ＸＩＶ−ＸＩＶ線での断面図。
【図１５】前記第２実施形態において、図９中ＸＶ−ＸＶ線での断面図。
【図１６】本発明の変形例に係る窓枠を示す説明図。
【発明を実施するための形態】
【００１６】
［第１実施形態］
以下、本発明の第１実施形態を図面に基づいて説明する。
図１は、本実施形態に係るカーテンウォール１を備える建物２を示す外観姿図である。図２は、カーテンウォール１を備える建物２を示す横断面図である。図３は、カーテンウォール１を備える建物２を示す縦断面図である。図４は、図１中ＩＶ−ＩＶ線での断面図であり、カーテンウォール１の開閉窓部４の右側の要部を拡大して示す横断面図である。図５は、図１中Ｖ−Ｖ線での断面図であり、カーテンウォール１の開閉窓部４の左側の要部を拡大して示す横断面図である。図６は、図１中ＶＩ−ＶＩ線での断面図であり、カーテンウォール１の開閉窓部４の上側の要部を拡大して示す縦断面図である。図７は、図１中ＶＩＩ−ＶＩＩ線での断面図であり、カーテンウォール１の開閉窓部４の下側の要部を拡大して示す縦断面図である。図８は、カーテンウォール１の窓取付け具５０の説明図（斜視図）である。矢印Ｘ，Ｙ，Ｚは互いに直交する方向を示している。屋内外方向（前後方向）はＸ方向であり、横方向はＹ方向であり、鉛直方向はＺ方向である。
【００１７】
図１〜図３において、建物２は、柱２１と、梁２２と、梁２２で支持される床スラブ２３とを備える。床スラブ２３の下部には吊り天井２７が設置されている。
カーテンウォール１は、床スラブ２３にファスナー２４を介して支持される複数の方立２５と、方立２５間に固定される複数の無目２６と、方立２５および無目２６に支持される面材としてのカーテンウォールパネル３と、開閉窓部４と、開閉窓部４を方立２５に取り付ける窓取付け具５０とを備えて構成されている。
従って、方立２５によってカーテンウォール１の縦材（縦桟部材）が構成され、無目２６によって横材（横桟部材）が構成されている。
【００１８】
方立２５は、図１，３に示すように鉛直方向に延びた通し材であり、アルミ形材で形成されている。図４，５において、方立２５は、断面略矩形状の方立本体２５１で構成され、方立本体２５１の屋外側に位置する前壁部２５２には屋内側に向かって凹む凹条部２５３が形成されている。凹条部２５３には、係合鉤部２５６が形成されている。また、前記前壁部２５２にはカーテンウォールパネル３や後述する角パイプ５１に当接する当接部材２５７が装着されている。凹条部２５３には、金属製の取付け具２５８が収容されている。この取付け具２５８はその上下位置で凹条部２５３の屋内側底面にビス止めされている。
方立２５の屋外側には、押縁２５４が取り付けられている。押縁２５４は、方立２５と同じく鉛直方向に延びたアルミ形材などで構成されている。また、押縁２５４の室内側の端部には係合鉤部２５５が形成されている。この係合鉤部２５５を前記係合鉤部２５６に係合することで、押縁２５４は方立２５に取り付けられている。
【００１９】
無目２６は、横方向に延びたアルミ形材で形成されている。無目２６は、図３に示すように、屋外側では化粧パネル２８によって覆われ、屋内側では目隠し材２９によって覆われている。このため、無目２６は、屋内外の外観上、視認されることがない。従って、本実施形態のカーテンウォール１は、方立２５や押縁２５４によって建物２の垂直ラインを強調した外壁面を構成する縦強調タイプのものである。
【００２０】
カーテンウォールパネル３は、方立２５および無目２６間に設置された複数のガラスパネル３２で構成されている。この際、ガラスパネル３２は、上下の床スラブ２３間の高さ位置つまり室内空間に面する位置に配置されている。一方、床スラブ２３の室外側にはアルミ形材で形成された化粧パネル２８が設置されている。従って、ガラスパネル３２と化粧パネル２８とは上下方向に交互に配置されている。
【００２１】
ガラスパネル３２は、図３〜図７に示すように、二枚の矩形状の壁面用のガラス板３２２の対向周縁部をスペーサ３２３を介して相互に接着することによって構成された複層のガラスパネルである。隙間を隔てて重ね合された二枚のガラス板３２２の間であってスペーサ３２３の外周側の部分には湿式のシール材３２４が施工されている。
【００２２】
ガラスパネル３２の左右の縁部は、図４，５に示すように、方立２５と押縁２５４との間に配置され、当接部材２５７に当接している。
方立２５の前壁部２５２とガラスパネル３２との隙間は、前記当接部材２５７をバックアップ材とし、湿式のシール材１０Ｂを施工することでシールされている。
また、押縁２５４とガラスパネル３２との隙間は、バックアップ材１０Ａを設け、さらにシール材１０Ｂを施工することでシールされている。
【００２３】
ガラスパネル３２の上縁部側に位置する無目２６は、詳細な図示は略すが、ガラスパネル３２の上縁部の前面側および後面側に突出した一対の突出片部を有し、この一対の突出片部間に配置されたガラスパネル３２の上縁部と当該一対の突出片部との間にシール材１０Ｂが施工されている。
なお、ガラスパネル３２の下縁部側に位置する無目２６も、前述したガラスパネル３２の上縁部側に位置する無目２６と同様に一対の突出片部を有し、当該一対の突出片部とガラスパネル３２の下縁部との間にシール材１０Ｂが施工されている。
【００２４】
方立２５間に配置されるガラスパネル３２のうち、一部のガラスパネル３２Ａ，３２Ｂは、他の縦長のガラスパネル３２に対し縦寸法が小さく横長に形成されている。ガラスパネル３２Ａおよびガラスパネル３２Ｂは上下に離れて配置され、これらのガラスパネル３２Ａ，３２Ｂ間には開口部３３が形成されている。
なお、ガラスパネル３２Ａ，３２Ｂの左右の縁部は方立２５に支持され、ガラスパネル３２Ａの上縁部およびガラスパネル３２Ｂの下縁部は無目２６に支持されている。
【００２５】
開口部３３は、図１に示すように、開閉窓部４が配置される矩形状の空間であり、左右の方立２５と、前記ガラスパネル３２Ａ，３２Ｂとによって区画される。
【００２６】
開閉窓部４は、内開きのすべり出し窓として構成され、開口部３３に配置されている。開閉窓部４は、矩形枠状の窓枠４４と、窓枠４４に対して開閉可能に設けられた障子４１とを備える。また、開閉窓部４は、障子４１を開閉操作する窓操作機構４５と、障子４１を窓枠４４に開閉可能に連結する開閉連結部４６Ａ，４６Ｂと、窓閉鎖の際に障子４１を窓枠４４に引き寄せる引寄せ機構４７とを備えている。
【００２７】
障子４１は、矩形框状の障子框４３と、障子框４３に保持される面材４２とを備えている。面材４２は、二枚の矩形状の窓用のガラス板４２２の対向周縁部をスペーサ４２３を介して相互に接着することによって構成された複層のガラスパネルである。隙間を隔てて重ね合された二枚のガラス板４２２の間であってスペーサ４２３の外周側の部分には湿式のシール材４２４が施工されている。
【００２８】
障子框４３は、図４〜図７に示すように、上框４３１、下框４３２および左右の縦框４３３，４３４を四周枠組みして構成されている。上框４３１、下框４３２および左右の縦框４３３，４３４は、互いに断面形状が同一のアルミ形材で形成されている。従って、以下、右側の縦框４３３について詳細に説明し、上框４３１、下框４３２および左側の縦框４３４については、図に適宜同符号を付して詳細な説明を省略する。
【００２９】
図４において、縦框４３３は、屋外片部４３３Ａと、縦框基部４３３Ｂと、屋内片部４３３Ｅとを備える。屋外片部４３３Ａは、縦框基部４３３Ｂの屋外側端部から障子４１側に延出されている。屋内片部４３３Ｅは、縦框基部４３３Ｂの屋内側端部から窓枠４４側に延出されている。縦框基部４３３Ｂの屋内側には、角筒状の内押縁４３３Ｃが取り付けられている。
縦框基部４３３Ｂには、その屋内外方向の中間部から窓枠４４に向かって突出した一対の延出片部４３３Ｄ，４３３Ｉが突設され、これらの先端部は連結片４３３Ｊで連結されている。このため、縦框基部４３３Ｂには、延出片部４３３Ｄ，４３３Ｉ、連結片４３３Ｊで囲まれた中空部が形成されている。また、縦框基部４３３Ｂの屋内側端部には係合鉤部４３３Ｇが形成されている。
【００３０】
屋外片部４３３Ａは、障子４１の屋外側の前面にビード１０Ｃを介して接触している。内押縁４３３Ｃには係合鉤部４３３Ｆが形成されている。この係合鉤部４３３Ｆを係合鉤部４３３Ｇに係合することで、内押縁４３３Ｃは縦框基部４３３Ｂに取り付けられている。内押縁４３３Ｃと障子４１との隙間は、バックアップ材１０Ａを設け、さらにシール材１０Ｂを施工することでシールされている。このように構成された屋外片部４３３Ａおよび内押縁４３３Ｃは、互いに協働して障子４１の右側の周縁部を挟持している。
【００３１】
屋内片部４３３Ｅは、縦框基部４３３Ｂを挟んで内押縁４３３Ｃと対向配置されている。屋内片部４３３Ｅは、延出片部４３３Ｄよりも窓枠４４に向かって長く延出しており、屋内側において後述する縦枠４４３を覆っている。屋内片部４３３Ｅの先端には気密材１０Ｄが装着されている。屋内片部４３３Ｅおよび延出片部４３３Ｄは、縦枠４４３に接触および離間可能に配置されている。
【００３２】
窓枠４４は、図４〜図７に示すように、上枠４４１、下枠４４２および左右の縦枠４４３，４４４を四周枠組みして構成されている。
上枠４４１および下枠４４２によって、開閉窓部４の互いに対向する上下の突きつけ用の二辺が構成され、この突きつけ用の二辺がガラスパネル３２Ａ，３２Ｂの端縁に対してシール材１０Ｂを介して突きつけ納まりとされている。
縦枠４４３，４４４によって、開閉窓部４の互いに対向する左右の取付け用の二辺が構成され、この取付け用の二辺が窓取付け具５０により方立２５に取り付けられている。
上枠４４１、下枠４４２および左右の縦枠４４３，４４４は、互いに断面形状が同一のアルミ形材で形成されている。従って、以下、右側の縦枠４４３について詳細に説明し、上枠４４１、下枠４４２および左側の縦枠４４４については、図に適宜同符号を付して詳細な説明を省略する。
【００３３】
図４において、縦枠４４３は、屋外片部４４３Ａと、縦枠基部４４３Ｂと、屋内片部４４３Ｃとを備える。屋外片部４４３Ａは、縦枠基部４４３Ｂの屋外側端部から障子４１側に延出されている。屋内片部４４３Ｃは、縦枠基部４４３Ｂの屋内側端部から障子４１側に微小に延出されている。
縦枠基部４４３Ｂには、その屋内外方向の中間部から窓枠４４に向かって突出した一対の延出片部４４３Ｄ，４４３Ｅが突設され、これらの先端部は連結片４４３Ｆで連結されている。このため、縦枠基部４４３Ｂには、延出片部４４３Ｄ，４４３Ｅ、連結片４４３Ｆで囲まれた中空部が形成されている。
【００３４】
屋外片部４４３Ａは、その突出長さが屋内片部４３３Ｅの突出長さよりも短く形成され、屋内外方向において屋内片部４３３Ｅに重なり合って配置されている。屋外片部４４３Ａは、延出片部４３３Ｄに気密材１０Ｄを介して離間可能に接触している。屋内片部４４３Ｃは、屋内片部４３３Ｅに気密材１０Ｄを介して離間可能に接触している。連結片４４３Ｆには、後述する角パイプ５１がビス１１によりビス止めされている。
【００３５】
なお、図６に示すように、上枠４４１の連結片４４３Ｆは、その上方に位置するガラスパネル３２Ａの下縁に対し若干の隙間を隔てて対向配置されている。上枠４４１の連結片４４３Ｆとガラスパネル３２Ａとの隙間は、バックアップ材１０Ａを設け、シール材１０Ｂを施工することでシールされている。
また、図７に示すように、下枠４４２の連結片４４３Ｆは、その下方に位置するガラスパネル３２Ｂの下縁に対し若干の隙間を隔てて対向配置されている。下枠４４２の連結片４４３Ｆとガラスパネル３２Ｂとの隙間は、バックアップ材１０Ａを設け、シール材１０Ｂを施工することでシールされている。
【００３６】
窓操作機構４５は、図５に示すように、ハンドル操作部４５１と、ハンドル操作部４５１に連動する係合ピン４５２と、係合ピン４５２に係合する係合片４５３とを備えている。ハンドル操作部４５１は左側の縦框４３４に手動操作可能に装着されている。係合ピン４５２は、ハンドル操作部４５１に鉛直方向に移動可能な操作伝達部材を介して連結されている。この係合ピン４５２は、ハンドル操作部４５１の回転操作に連動して鉛直方向に移動する。係合片４５３は左側の縦枠４４４に固定されている。
かかる窓操作機構４５は、係合ピン４５２の移動により当該係合ピン４５２に係合した際に窓閉鎖状態を維持する一方、係合ピン４５２の逆方向の移動により当該係合ピン４５２との係合を解除した際に窓開閉可能な状態とする。
【００３７】
開閉連結部４６Ａは、図６に示すように、上框４３１を上枠４４１に対し、鉛直方向に延びた軸を中心に回転可能に、かつ横方向にスライド移動可能に連結している。
開閉連結部４６Ｂは、鉛直方向において開閉連結部４６Ａと対向して配置されている。開閉連結部４６Ｂは、図７に示すように、下框４３２を下枠４４２に対し、鉛直方向に延びた軸を中心に回転可能に、かつ横方向にスライド移動可能に連結している。
【００３８】
引寄せ機構４７は、図４に示すように、框側引寄片４７１と、枠側引寄片４７２とを備えている。
框側引寄片４７１は、縦框４３３の連結片４３３Ｊに固定されている。框側引寄片４７１の屋内面は、傾斜面とされている。この傾斜面は、屋内側から屋外側に向かうにしたがって、縦枠４４３側に近づく向きに形成されている。
枠側引寄片４７２は、框側引寄片４７１に対して横方向に対向して配置され、縦枠４４３の縦枠基部４４３Ｂに固定されている。枠側引寄片４７２の屋外面は、框側引寄片４７１の屋内面に対して相補的な形状の傾斜面とされている。この傾斜面は、屋外側から屋内側に向かうにしたがって、縦框４３３側に近づく向きに形成されている。
かかる引寄せ機構４７は、開口部３３を閉鎖する際に生じる縦框４３３の縦枠４４３に接近する横方向のスライド移動に基づき、框側引寄片４７１の傾斜面を枠側引寄片４７２の傾斜面に対して滑り移動させることで、屋内外方向において障子框４３を窓枠４４側に引き寄せる。
【００３９】
窓取付け具５０は、図４，５，８に示すように、縦枠４４３，４４４に対しビス止めによりそれぞれ取り付けられている角パイプ５１と、角パイプ５１を方立２５にそれぞれ連結する連結体５２とを備えている。
【００４０】
図４に示す右側の角パイプ５１は、アルミ押出形材などで形成された角筒状のパイプである。このため、角パイプ５１は、開閉窓部４側の内側側板部５１１と、内側側板部５１１に対して対向配置された外側側板部５１２と、内側側板部５１１および外側側板部５１２の屋外側の端部を連結している屋外板部５１３と、内側側板部５１１および外側側板部５１２の屋内側の端部を連結している屋内板部５１４とを有している。
【００４１】
内側側板部５１１は、縦枠４４３の連結片４４３Ｆにビス止めされている。外側側板部５１２には、角パイプ５１の縦枠４４３への取り付けを容易にするため、内側側板部５１１をビス止めするビス１１が挿通可能なビス通し用の孔またはスリット（図示せず）が形成されている。
【００４２】
屋外板部５１３は、押縁２５４に隙間を隔てて対向配置されている。屋外板部５１３と押縁２５４との隙間は、バックアップ材１０Ａを設け、シール材１０Ｂを施工することでシールされている。
屋内板部５１４は、方立２５の前壁部２５２に隙間を隔てて対向配置されている。屋内板部５１４と前壁部２５２との隙間は、当接部材２５７をバックアップ材とし、シール材１０Ｂを施工することでシールされている。
なお、図５に示す左側の角パイプ５１も、前述した右側の角パイプ５１と同様に構成されているため、その詳細な説明を省略する。
かかる左右の角パイプ５１によって、縦枠４４３から方立２５に向かって突出する突出部を形成する突出部形成部材が構成されている。
【００４３】
連結体５２は、右側の角パイプ５１の上部および下部ならびに左側の角パイプ５１の上部および下部の四箇所に配置されている。左側の角パイプ５１の下部に配置された連結体５２は、図８に示すように、角パイプ５１を方立２５に連結する金属製の連結具５２１と、連結具５２１に近接配置され、開閉窓部４の鉛直荷重を支持する金属製の支持具５２２とを備える。
【００４４】
連結具５２１は、図８に示すように、板状基部５２１Ａと、受圧片部５２１Ｂと、取付け片部５２１Ｃとを有している。受圧片部５２１Ｂは、板状基部５２１Ａの屋外側端部から横方向内側（縦枠４４４側）に延出されている。取付け片部５２１Ｃは、板状基部５２１Ａの屋内側端部から横方向外側に延出されている。
受圧片部５２１Ｂは、ビス１１により屋外側から角パイプ５１の屋外板部５１３に固定されている。受圧片部５２１Ｂは、角パイプ５１を屋外側から支えているため、風によって開閉窓部４を屋外側に引っ張る風圧力（負圧）が加わっても、この風圧力を受圧することで開閉窓部４の屋外への落下などを防止している。従って、この受圧片部５２１Ｂによって、開閉窓部４に加わる屋内外方向の風圧力を受圧する受圧片が構成されている。
取付け片部５２１Ｃは、方立２５の取付け具２５８の中間位置にビス１１により固定されている。
かかる連結具５２１は、受圧片部５２１Ｂを角パイプ５１に取り付け、取付け片部５２１Ｃを方立２５に取り付けることにより、開閉窓部４を方立２５に連結している。
なお、屋外側の風圧力が屋内側の風圧力よりも高まって正圧となる場合は、連結具５２１による受圧に加え、角パイプ５１が方立２５にしっかりと支えられる。
【００４５】
支持具５２２は、連結具５２１の下方に配置されている。支持具５２２は、図８に示すように、板状基部５２２Ａと、支持片部５２２Ｂと、スペーサ５２２Ｃとを有している。
板状基部５２２Ａは、ビス１１により角パイプ５１の外側側板部５１２にビス止めされている。
支持片部５２２Ｂは、板状基部５２２Ａの下端部から横方向外側に延出されている。支持片部５２２Ｂは、ビス１１などにより方立２５側に固定されることなく、方立２５の凹条部２５３に取り付けられた支え具２５９の上に載置されている。この支持片部５２２Ｂによって、開閉窓部４の鉛直荷重を支持する支持片が構成されている。ここで、支え具２５９は、方立２５の凹条部２５３に取付け具２５８を介して取り付けられたＬ字状のアングル部材によって構成され、屋外側に延出した支え板部２５９Ａを有し、この支え板部２５９Ａで支持片部５２２Ｂに接触している。
スペーサ５２２Ｃは、板状に形成され、板状基部５２２Ａと縦枠４４４との間に介在されている。
かかる支持具５２２は、連結具５２１により角パイプ５１が方立２５に連結された状態で支え具２５９および取付け具２５８を介して方立２５に支えられることで、開閉窓部４の鉛直荷重を支持する。
【００４６】
なお、左側の角パイプ５１の上部ならびに右側の角パイプ５１の上部および下部の三箇所に配置されている連結体５２は、左側の角パイプ５１の下部に配置されている前述の通りに説明した連結体５２と同様に構成されているので、これらについての詳細な説明を省略する。
【００４７】
［第１実施形態の施工手順］
以下、本実施形態の施工手順の一例について説明する。
先ず、工場等においてあらかじめ開閉窓部４に窓取付け具５０を取り付ける。つまり、一対の角パイプ５１を縦枠４４３，４４４へそれぞれビス止めし、四つの連結具５２１の受圧片部５２１Ｂを、一対の角パイプ５１の上部および下部へそれぞれビス止めし、四つの支持具５２２を四つの連結具５２１の下方近傍に配置し、板状基部５２２Ａを一対の角パイプ５１の上部および下部へそれぞれビス止めする。
【００４８】
次に、施工現場において、方立２５および無目２６間にガラスパネル３２をそれぞれ設置し、方立２５および無目２６とガラスパネル３２との隙間をシールする。ガラスパネル３２は、上階側の床スラブ２３と下階側の床スラブ２３との間に配置し、鉛直方向における複数のガラスパネル３２間には、化粧パネル２８を設置する。方立本体２５１の凹条部２５３には、取付け具２５８を取り付け、支え具２５９は対応の取付け具２５８に取り付ける。
【００４９】
次に、設置されたガラスパネル３２Ａ，３２Ｂと方立２５とによって区画された開口部３３に対し、あらかじめ窓取付け具５０が取り付けられた開閉窓部４をそのまま嵌め込む。この嵌め込みにより、左右の角パイプ５１を、図４，５に示すように方立本体２５１の屋外側近傍にそれぞれ配置し、上枠４４１および下枠４４２を、図６，７に示すようにガラスパネル３２Ａ，３２Ｂの端縁にそれぞれ対向させて突きつけ納まりとする。この際、四つの支持具５２２の支持片部５２２Ｂは、図８に示すように、対応の支え具２５９の支え板部２５９Ａ上に載置する。
【００５０】
続いて、四つの連結具５２１の取付け片部５２１Ｃを対応の取付け具２５８にそれぞれビス止めして方立２５に取り付ける。ここでのビス止めは、横方向や鉛直方向にビス１１をねじ込む必要がなく、屋内外方向において方立２５に向けてビス１１をねじ込むだけで簡単に行える。また、支持具５２２が支え具２５９に載置されることで開閉窓部４の鉛直荷重が支持される。これにより、開閉窓部４が鉛直方向において位置決めされ、ビス止め作業を簡単に行える状態となる。このようにして、窓取付け具５０により開閉窓部４を方立２５に取り付ける。
次に、押縁２５４を方立本体２５１に装着し、方立本体２５１および押縁２５４と角パイプ５１との隙間と、上枠４４１および下枠４４２とガラスパネル３２Ａ，３２Ｂとの隙間とをシールする。
以上のようにして、カーテンウォール１を施工する。
【００５１】
［第１実施形態による効果］
以上に説明した本実施形態によれば、以下の効果がある。
（１）窓取付け具５０により窓枠４４の取付け用の二辺を方立２５に取り付けるだけであるため、窓枠４４を無目２６に取り付けるための部品を必要とせず、部品点数を削減できる。これにより、組み立て工数の減少による施工性の向上や、部品点数の削減および組み立て工数の減少に起因する製品の低廉化を図れる。
そして、窓枠４４の突きつけ用の二辺は、カーテンウォールパネル３に対しシール材１０Ｂを介して突きつけ納まりとされるだけであるため、窓枠４４の突きつけ用の二辺とカーテンウォールパネル３との間に無目２６等が介在されることがない。このため、カーテンウォールの外観や内観をシンプルにでき、開閉窓部４がカーテンウォールパネル３間に浮いているようなシャープな印象を与えることもできる。
（２）窓枠４４側に突出部を形成する必要が無く、窓枠４４の幅寸法を小さくすることができる。このため、開閉窓部４とカーテンウォールパネル３とが突きつけ納まりとされている部分において、窓枠をより目立たなくできる。
また、あらかじめ工場などにおいて角パイプ５１を窓枠４４に取り付けておくことで、施工現場において連結体５２を用いて方立２５に簡単に取り付けることができる。
（３）方立２５に押縁２５４を装着することで、方立２５と押縁２５４との間に凹溝部を形成できる。そして、この凹溝部に角パイプ５１を配置することで、方立２５と角パイプ５１との間や、押縁２５４と角パイプ５１との間にバックアップ材１０Ａやシール材１０Ｂを配置できる隙間を形成できる。従って、上記各隙間をバックアップ材１０Ａやシール材１０Ｂ等で塞ぐだけで、開閉窓部４と方立２５との間での屋内外の連通を簡単に遮断できる。
【００５２】
（４）風圧力を支持する連結具５２１と、鉛直荷重を支持する支持具５２２を別々のブラケットで構成したので、連結具５２１および支持具５２２の形状をＬ字状や稲妻状に折曲した簡易な形状にでき、かつ、小型化できる。従って、支持具５２２の支持片部５２２Ｂを方立本体２５１に対してより近接配置でき、支持具５２２を大型化させることなく大きな鉛直荷重を支持できる。
また、支持具５２２は鉛直荷重を支持すればよいため、支持具５２２を方立２５にビス１１等で連結する必要が無く、連結する工数を削減できる。そして、角パイプ５１に連結された支持具５２２を方立２５で支持しながら、連結具５２１により角パイプ５１に連結することができ、開閉窓部４の荷重を作業者などが別途支持しながら連結具５２１の連結作業を行う必要が無いため、連結作業性を向上できる。
（５）窓閉鎖状態において可動側の障子框４３の屋内片部４３３Ｅが固定側の窓枠４４を覆うため、屋内からの外観上、固定側の窓枠４４を目立たせることなく、可動側の障子框４３を固定側の窓枠４４よりも強調した印象を与えることができる。
（６）上框４３１、下框４３２および左右の縦框４３３，４３４が断面形状同一の形材であり、また、上枠４４１、下枠４４２および左右の縦枠４４３，４４４が断面形状同一の形材であるため、部品の共通化による製品の低廉化や部品の互換性向上による施工性の向上を図れ、外観上、面材４２の周囲に統一感があるシンプルかつシャープな印象を与えることができる。
【００５３】
［第２実施形態］
以下、本発明の第２実施形態を図面に基づいて説明する。
図９は、カーテンウォール１Ａを備える建物２を示す外観姿図である。図１０は、カーテンウォール１Ａを備える建物２を示す横断面図である。図１１は、カーテンウォール１Ａを備える建物２を示す縦断面図である。図１２は、図９中ＸＩＩ−ＸＩＩ線での断面図であり、カーテンウォール１Ａの開閉窓部４の上側の要部を拡大して示す縦断面図である。図１３は、図９中ＸＩＩＩ−ＸＩＩＩ線での断面図であり、カーテンウォール１Ａの開閉窓部４の下側の要部を拡大して示す縦断面図である。図１４は、図９中ＸＩＶ−ＸＩＶ線での断面図であり、カーテンウォール１Ａの開閉窓部４の右側の要部を拡大して示す横断面図である。図１５は、図９中ＸＶ−ＸＶ線での断面図であり、カーテンウォール１Ａの開閉窓部４の左側の要部を拡大して示す横断面図である。
【００５４】
図９〜図１１において、第２実施形態に係るカーテンウォール１Ａは、複数の方立２５と、方立２５間に固定される複数の無目２６，２６Ａと、方立２５および無目２６，２６Ａに支持されるカーテンウォールパネル３Ａと、開閉窓部４と、開閉窓部４を無目２６Ａに取り付ける窓取付け具５０Ａとを備えている。ここで、無目２６Ａは、室内空間に露出する位置に配置された無目であり、無目２６は天井や床部分に配置されており、室内空間に露出しない無目である。
カーテンウォール１Ａでは、方立２５には押縁２５４が装着されておらず、方立２５が屋外からの外観上目立たない構成とされている。他方、無目２６，２６Ａには押縁２６４が装着され、外観上目立つ構成とされている。従って、本実施形態のカーテンウォール１Ａは、無目２６，２６Ａや押縁２６４によって建物２の水平ラインを強調した外壁面を構成する横強調タイプのものである。
なお、カーテンウォール１Ａの各構成のうち、カーテンウォール１と同様の構成については、図面に適宜同符号を付してこれらの詳細な説明を省略する。
【００５５】
無目２６Ａは、無目２６間に所定間隔隔てて一対設けられている。無目２６Ａは、図１２，１３に示すように横方向に延びたアルミ形材で形成されている。無目２６Ａは、断面略矩形状の無目本体２６１と、無目本体２６１の屋外側に位置する前壁部２６２から屋外側に向かって突出された突出片部２６３とを備えて構成されている。突出片部２６３の先端部には係合鉤部２６６が形成されている。また、前壁部２６２にはガラスパネル３２や角パイプ５１に当接する当接部材２６７が装着されている。突出片部２６３には、金属製の取付け具２６８が取り付けられている。取付け具２６８は、板状基部とこの板状基部の屋外側端部から下方に延出した延出片部２６８Ａとを有し、これにより略Ｌ字状のアングル部材が構成されている。取付け具２６８は、その板状基部で突出片部２６３にビス止めされている。
無目２６Ａの屋外側には押縁２６４が取り付けられている。押縁２６４は、無目２６Ａと同じく横方向に延びたアルミ形材などで構成されている。また、押縁２６４の室内側の端部には係合鉤部２６５が形成されている。この係合鉤部２６５を前記係合鉤部２６６に係合することで、押縁２６４は無目２６Ａに取り付けられている。
また、無目本体２６１の屋内側は、無目カバー２６０によって覆われている。
なお、本実施形態における無目２６は、無目カバー２６０で覆われていないが、無目２６Ａと同様に構成され、押縁２６４も同様に装着されているため、その詳細な説明を省略する。
【００５６】
無目２６，２６Ａ間に配置されるガラスパネル３２は横長に形成されているが、これらのうち、一部のガラスパネル３２Ｃ，３２Ｄは、他の横長のガラスパネル３２に対し横寸法が小さく縦長に形成されている。
ガラスパネル３２Ｃ，３２Ｄは、左右に離れて配置され、これらのガラスパネル３２Ｃ，３２Ｄ間には開口部３３が形成されている。
なお、ガラスパネル３２Ｃ，３２Ｄの上下の縁部は無目２６Ａに支持され、ガラスパネル３２Ｃの右側の縁部およびガラスパネル３２Ｄの左側の縁部は方立２５に支持されている。
【００５７】
開口部３３は、図９に示すように、開閉窓部４が配置される矩形状の空間であり、上下の無目２６Ａと、前記ガラスパネル３２Ｃ，３２Ｄとによって区画される。
【００５８】
本実施形態の開閉窓部４では、図１２，１３に示すように、上枠４４１および下枠４４２によって、開閉窓部４の互いに対向する上下の取付け用の二辺が構成され、この取付け用の二辺が窓取付け具５０Ａにより無目２６Ａに取り付けられている。
また、図１４，１５に示すように、縦枠４４３，４４４によって、開閉窓部４の互いに対向する左右の突きつけ用の二辺が構成され、この突きつけ用の二辺がガラスパネル３２Ｃ，３２Ｄの端縁に対してシール材１０Ｂを介して突きつけ納まりとされている。
【００５９】
窓取付け具５０Ａは、図１２，１３に示すように、窓本体部４０の上枠４４１および下枠４４２に対しビス止めにより横方向に延びた状態でそれぞれ取り付けられている角パイプ５１と、角パイプ５１を無目２６Ａにそれぞれ連結する連結体５２Ａとを備えている。
【００６０】
角パイプ５１は、窓取付け具５０の角パイプ５１と同構成である。角パイプ５１と無目本体２６１および押縁２６４との隙間はシールされている。
【００６１】
連結体５２Ａは、窓枠４４の上側において角パイプ５１を無目２６Ａに連結する金属製の上側連結具５２３と、窓枠４４の下側において角パイプ５１を無目２６Ａに連結する金属製の下側連結具５２４とを備えている。
【００６２】
上側連結具５２３は、上枠４４１の左右に二つ設けられている。上側連結具５２３は、図１２に示すように、板状基部５２３Ａと、受圧片部５２３Ｂとを有している。
板状基部５２３Ａは、上枠４４１に取り付けられた角パイプ５１の外側側板部５１２にビス１１によりビス止めされている。
受圧片部５２３Ｂは、板状基部５２３Ａの屋内側端部から上方に延出されている。受圧片部５２３Ｂは、無目２６Ａの取付け具２６８の延出片部２６８Ａにビス止めされている。この受圧片部５２３Ｂによって、開閉窓部４に加わる風圧力を受圧する受圧片が構成されている。
かかる上側連結具５２３によって、略Ｌ字状のアングル部材が構成されている。
【００６３】
下側連結具５２４は、下枠４４２の左右に二つ設けられている。下側連結具５２４は、図１３に示すように、下枠４４２に取り付けられた角パイプ５１に取り付けられている支持ブロック５２５と、支持ブロック５２５を無目２６Ａに取り付けているアングル部材５２６とを備えている。
支持ブロック５２５は、図１３において略矩形状に形成されており、角パイプ５１の外側側板部５１２にビス止めされ、無目２６Ａの突出片部２６３に載置されている。かかる支持ブロック５２５は、開閉窓部４の鉛直荷重を支持している。
【００６４】
アングル部材５２６は、図１３において略Ｌ字状に形成されている。アングル部材５２６は、板状基部５２６Ａと、受圧片部５２６Ｂとを有している。
板状基部５２６Ａは、突出片部２６３にビス止めされている。
受圧片部５２６Ｂは、板状基部５２６Ａの屋外側端部から上方に延出されている。受圧片部５２６Ｂは、支持ブロック５２５の屋内側の側面にビス止めされている。この受圧片部５２６Ｂによって、開閉窓部４に加わる風圧力を受圧する受圧片が構成されている。
かかるアングル部材５２６は、受圧片部５２６Ｂにおいて開閉窓部４に加わる風圧力を受圧する。
【００６５】
［第２実施形態の施工手順］
以下、本実施形態の施工手順の一例について説明する。
先ず、工場等においてあらかじめ開閉窓部４に窓取付け具５０Ａを取り付ける。つまり、一対の角パイプ５１を上枠４４１および下枠４４２へそれぞれビス止めし、上側連結具５２３の板状基部５２３Ａを上枠４４１側の角パイプ５１へビス止めし、支持ブロック５２５を下枠４４２側の角パイプ５１へそれぞれビス止めする。
【００６６】
次に、施工現場において、方立２５および無目２６，２６Ａ間にガラスパネル３２，３２Ｃ，３２Ｄをそれぞれ設置し、無目２６Ａおよびガラスパネル３２Ｃ，３２Ｄによって開口部３３を区画する。上枠４４１が取り付けられるべき無目２６Ａには、取付け具２６８を取り付ける。また、下枠４４２が取り付けられるべき無目２６Ａには、アングル部材５２６を取り付ける。
次に、開口部３３に対し、あらかじめ窓取付け具５０Ａが取り付けられた開閉窓部４をそのまま嵌め込む。この嵌め込みにより、上下の角パイプ５１を、図１２，１３に示すように無目本体２６１の屋外側近傍にそれぞれ配置し、縦枠４４３，４４４を、図１４，１５に示すようにガラスパネル３２Ｃ，３２Ｄの端縁にそれぞれ対向させて突きつけ納まりとする。この際、支持ブロック５２５を無目２６上に載置する。
【００６７】
続いて、上側連結具５２３の受圧片部５２３Ｂを対応の取付け具２６８にそれぞれビス止めして無目２６Ａに取り付ける。また、支持ブロック５２５の屋内側の側面をアングル部材５２６の受圧片部５２６Ｂにビス止めする。ここでのビス止めは、横方向や鉛直方向にビス１１をねじ込む必要がなく、屋内外方向においてビス１１をねじ込むだけで簡単に行える。また、支持ブロック５２５が無目２６上に載置されることで開閉窓部４の鉛直荷重が支持される。これにより、開閉窓部４が鉛直方向において位置決めされ、ビス止め作業を簡単に行える状態となる。このようにして、窓取付け具５０Ａにより開閉窓部４を無目２６Ａに取り付ける。
次に、押縁２６４を無目本体２６１に装着し、無目本体２６１および押縁２６４と角パイプ５１との隙間と、縦枠４４３，４４４とガラスパネル３２Ｃ，３２Ｄとの隙間とをシールする。
以上のようにして、カーテンウォール１Ａを施工する。
【００６８】
［第２実施形態の効果］
本実施形態によれば、開閉窓部４が方立２５ではなく無目２６Ａに取り付けられた横強調タイプのカーテンウォール１Ａとして、カーテンウォール１と同様の作用効果を発揮できる。
また、下側連結具５２４が横材に載置されることで開閉窓部４の鉛直荷重を支持でき、上側連結具５２３の受圧片部５２３Ｂにより窓枠４４の上側において開閉窓部４に加わる風圧力を受圧でき、さらに、下側連結具５２４の受圧片部５２６Ｂにより窓枠４４の下側において開閉窓部４に加わる風圧力を受圧できる。
【００６９】
［変形例］
なお、本発明は以上の実施形態で説明した構成のものに限定されず、本発明の目的を達成できる範囲での変形例は、本発明に含まれる。
例えば、前記実施形態では、開閉窓部４は、内開きのすべり出し窓として構成されたが、これに限定されず、例えば、外開きのすべりだし窓として構成されていてもよい。この場合、開閉窓部４は、障子框４３および窓枠４４に代えて、例えば、図１６に示すように、縦框基部４３３Ｂの屋外側端部から窓枠４４Ａ側に延出された屋外片部４３３Ｋを有した障子框４３Ａと、屋外側が屋外片部４３３Ｋに覆われる窓枠４４Ａとを備えていてもよい。
なお、前述した開閉窓部４は、前述した内開きすべり出し窓や外開きすべりだし窓のほか、内開き窓、外開き窓、突出し窓、外倒し窓、回転窓等として構成されていてもよい。
【００７０】
前記実施形態では、連結具５２１を支持具５２２の上方に配置することで、連結具５２１と支持具５２２との間に支え具２５９の支え板部２５９Ａが介在されることなく、納まり寸法を小さくできる構成となっているが、これに限定されない。例えば、連結具５２１が支持具５２２の下方に配置されてもよい。
【００７１】
前記実施形態では、窓取付け具５０，５０Ａの突出部形成部材は、角パイプ５１によって構成されているが、これに限定されず、方立本体２５１および押縁２５４または無目本体２６１および押縁２６４に対向する部分を有していればよい。従って、例えば、突出部形成部材は、断面コ字状、断面Ｈ字状、断面円形状、断面楕円形状等の部材によって構成されていてもよい。
【００７２】
前記実施形態では、角パイプ５１を屋外側から支える連結具５２１を備えているが、これに限定されず、例えば、連結具５２１に代えて、角パイプ５１を屋内側から支える連結具（図示せず）や、角パイプ５１を屋外側および屋内側の双方から支える連結具（図示せず）を備えていてもよい。
【００７３】
前記実施形態では、窓取付け具５０，５０Ａは角パイプ５１を備えているが、これに限定されず、例えば角パイプ５１を備えずに、連結体５２，５２Ａにより窓枠４４を方立２５または無目２６Ａに直接取り付ける構成とされていてもよい。
【００７４】
前記実施形態では、窓枠４４の上部、下部等にそれぞれ取り付けられる連結体５２，５２Ａは、連結具５２１や支持具５２２または上側連結具５２３や下側連結具５２４などの複数の部品を備えて構成されているが、これに限定されない。例えば、窓枠４４の上部、下部等にそれぞれ取り付けられる連結体５２，５２Ａは、一つの部品によって構成されていてもよい。
【００７５】
前記実施形態では、各隙間を塞ぐためにシール材１０Ｂとして湿式のものが使用されたが、これに限定されず、例えばガスケット等の乾式のものが使用されてもよい。
【００７６】
前記実施形態の施工手順に関し、連結体５２，５２Ａは、あらかじめ工場等において角パイプ５１に取り付けられることとして説明したが、これに限定されず、施工現場において角パイプ５１に取り付けられてもよい。また、角パイプ５１もあらかじめ工場等において窓枠４４に取り付けられることとして説明したが、これに限定されず、施工現場において窓枠４４に取り付けられてもよい。
【符号の説明】
【００７７】
１，１Ａ…カーテンウォール、２，２Ａ…建物、２５…方立、２５１…方立本体、２５４，２６４…押縁、２５８，２６８…取付け具、２５９…支え具、２５９Ａ…支え板部、２６，２６Ａ…無目、２６１…無目本体、３，３Ａ…カーテンウォールパネル、３２，３２Ａ，３２Ｂ，３２Ｃ，３２Ｄ…ガラスパネル、３３…開口部、４，４Ａ…開閉窓部、４１…障子、４２…面材、４３，４３Ａ…障子框、４３１…上框、４３２…下框、４３３，４３４…縦框、４４，４４Ａ…窓枠、４４１…上枠、４４２…下枠、４４３，４４４…縦枠、４５…窓操作機構、４６Ａ，４６Ｂ…開閉連結部、４７…引寄せ機構、５０，５０Ａ…窓取付け具、５１…角パイプ、５２，５２Ａ…連結体、５２１…連結具、５２１Ｂ…内側受圧片部、５２２…支持具、５２２Ｂ…支持片部、５２３…上側連結具、５２３Ｂ，５２６Ｂ…受圧片部、５２４…下側連結具、５２５…支持ブロック、５２６…アングル部材、１０Ｂ，３２４，４２４…シール材。
【図１】
2015124487.tif 000003
【図２】
2015124487.tif 000004
【図３】
2015124487.tif 000005
【図４】
2015124487.tif 000006
【図５】
2015124487.tif 000007
【図６】
2015124487.tif 000008
【図７】
2015124487.tif 000009
【図８】
2015124487.tif 000010
【図９】
2015124487.tif 000011
【図１０】
2015124487.tif 000012
【図１１】
2015124487.tif 000013
【図１２】
2015124487.tif 000014
【図１３】
2015124487.tif 000015
【図１４】
2015124487.tif 000016
【図１５】
2015124487.tif 000017
【図１６】
2015124487.tif 000018